(57)【要約】【課題】  複数のタオルを掛け止め収納した際、個々人のタオル相互の接触を防止することができ、又タオルを区画して掛け止めしつつ通気性を確保して乾燥を促し、衛生上極めて好ましいタオルハンガーを提供する。【解決手段】  両側の左右の支柱３，３と、左右の支柱を繋ぐ横梁５，６で自立するスタンド２を形成し、スタンドの左右の支柱間に横向きに支持部材２２，２３を架設し、支持部材２２，２３に左右方向に所定間隔を開けて複数の仕切板１０を支持し、各仕切板１０は板厚方向に貫通する複数の通気孔１２を設け、仕切板１０間に位置するようにタオルの係止具４０を設けたタオルハンガー。【選択図】図１
0003190290.tif 000002
【実用新案登録請求の範囲】
【請求項１】
両側の左右の支柱と、左右の支柱を繋ぐように設けられた横梁で自立するスタンドを形成し、
前記スタンドの左右の支柱間に横向きに支持部材を架設し、
前記支持部材に左右方向に所定間隔を開けて複数の仕切板を支持し、
前記仕切板は板厚方向に貫通する複数の通気孔を設け、
前記仕切板間に位置するようにタオルの係止具を設けた
ことを特徴とするタオルハンガー。
【請求項２】
前記横梁は上横梁と下横梁とからなり、上横梁に前記タオル係止具を設けたことを特徴とする請求項１記載のタオルハンガー。
【請求項３】
前記複数の仕切板の夫々には前後方向中間部に板厚方向に貫通する縦長の区画板挿通孔を設け、前記スタンドの左右の支柱間に区画板を架設し、前記区画板は、前記仕切板に設けた挿通孔が挿通されて該仕切板を所定間隔で前後に仕切り、前記区画板の前後にタオルの係止具を配設したことを特徴とする請求項１又は請求項２に記載のタオルハンガー。
【請求項４】
前記区画板には、板厚方向に貫通する複数の通気孔を設けたことを特徴とする請求項３記載のタオルハンガー。
【請求項５】
前記複数の仕切板は、区画板を挟んで前側のものは前方及び上下方向に開放され、後側のものは後方及び上下方向に開放されていることを特徴とする請求項３又は請求項４記載のタオルハンガー。
【請求項６】
前記上横梁の前後の面であって、前記仕切板間の上方の部位には、タオル係止具の掛止フックを夫々設けたことを特徴とする請求項３〜５の何れか１項に記載のタオルハンガー。
【請求項７】
前記左右の支柱間にスペーサ保持部材を架設し、前記複数の仕切板の上部に貫通孔を設けて前記スペーサ保持部材を通し、前記スペーサ保持部材にスペーサを嵌合させて前記仕切板の間隔を保持するようにしたことを特徴とする請求項１〜６の何れか１項に記載のタオルハンガー。
【請求項８】
前記仕切板の通気孔及び前記区画板の通気孔は、複数の上下に延びる長孔又は複数の丸孔であることを特徴とする請求項１〜７の何れか１項に記載のタオルハンガー。
【請求項９】
少なくとも前記仕切板は抗菌処理されていることを特徴とする請求項１〜９の何れか１項に記載のタオルハンガー。
【考案の詳細な説明】
【技術分野】
【０００１】
本考案は、清潔を維持し得るタオルハンガーに係り、特に保育所や幼稚園等で用いるのに好ましいタオルハンガーに関するものである。
【背景技術】
【０００２】
自立するスタンドの上端部に、タオルを掛ける複数の棒状部を有する一対の枠状の揺動部材を有し、棒状部にタオルを掛けるスタンド型タオル掛けは知られている（特許文献１参照）。
【０００３】
特許文献１のタオル掛けは、平面視凹枠状の一対の揺動部材を有し、凹枠部の左右の枠部間に平行に所定間隔を開けて棒状部材を掛け渡し、棒状部材にタオルを引っ掛けて垂らす等してタオルを掛けるものであり、複数のタオルを掛けることができ、実用上は、この種のタオル掛けの複数の棒状部に夫々タオルを掛け、手拭き等を行っている。
【０００４】
特許文献１に係るタオル掛けでは、棒状部にタオルを引っ掛け、垂らすので、垂らされて隣接するタオルは相互に接触する虞がある。
実際には、並列的に垂らすように引っ掛けられたタオル相互は接触する虞があり、引っ掛け、吊り下げたタオルは、他者が使用し干したタオルと自己が干したタオルが接触してしまい、清潔が維持に難く、衛生上改善が望まれる。
【０００５】
ところで、保育所や幼稚園等に通園し、遊びの後、食事前等に手を洗い、タオルで手を拭うことが励行される。
手を拭ったタオルは、タオル掛けに掛けて収納したり、干して乾燥する。
上記した特許文献１に示したタオル掛けでは、棒状部材に並列的に複数のタオルを垂れ下げ、掛け止めするので、棒状部材毎にタオルを掛け止めしても、隣接するタオル相互が接触する虞が多い。
特に幼児や児童児等では、一つの棒状部材に複数のタオルを掛け止めしたりして他者のタオルと自己のタオルとの判別がし難く、清潔を維持する上で好ましくなく、衛生上好ましくない。
【先行技術文献】
【特許文献】
【０００６】
【特許文献１】特開２００４−１３５８０５号公報
【考案の概要】
【考案が解決しようとする課題】
【０００７】
本考案は、特に保育所や幼稚園等において、幼児や児童等が手洗い後に拭掃するタオル掛けの衛生上における上記した課題を解決すべくなされたものである。
本考案は、タオルを個々に自他を区別して区画することで掛け止め、収容することができること、複数のタオルを掛け止め収納した際、自他のタオル相互の接触を確実に防止し、清潔を維持する上で好ましく、衛生上極めて好ましいこと、タオルを区画された各人のエリアに容易に確実に掛け止め、収容し得ること、タオルを区画して掛け止め、吊り下げ、収容しつつ通気性を確保してタオルの乾燥を促し、衛生上好ましいこと、更には全体として清潔で極めて衛生上好ましいこと等の利点を有するタオルハンガーを提供することを目的とする。
【課題を解決するための手段】
【０００８】
上記課題を解決するために、請求項１に係る考案は、タオルハンガーであって、両側の左右の支柱と、左右の支柱を繋ぐように設けられた横梁で自立するスタンドを形成し、スタンドの左右の支柱間に横向きに支持部材を架設し、支持部材に左右方向に所定間隔を開けて複数の仕切板を支持し、仕切板は板厚方向に貫通する複数の通気孔を設け、仕切板間に位置するようにタオルの係止具を設けたことを特徴とする。
【０００９】
請求項２に係る考案は、請求項１において、横梁は上横梁と下横梁とからなり、上横梁にタオル係止具を設けたことを特徴とする。
【００１０】
請求項３に係る考案は、請求項１又は請求項２において、複数の仕切板の夫々には前後方向中間部に板厚方向に貫通する縦長の区画板挿通孔を設け、スタンドの左右の支柱間に区画板を架設し、区画板は、仕切板に設けた挿通孔に挿通されて該仕切板を所定間隔で前後に仕切り、区画板の前後にタオルの係止具を配設したことを特徴とする。
【００１１】
請求項４に係る考案は、請求項３において、区画板には、板厚方向に貫通する通気孔を設けたことを特徴とする。
【００１２】
請求項５に係る考案は、請求項３又は請求項４において、複数の仕切板は、区画板を挟んで前側のものは前方及び上下方向に開放され、後側のものは後方及び上下方向に開放されていることを特徴とする。
【００１３】
請求項６に係る考案は、請求項３〜５の何れか１項において、上横梁の前後の面であって、仕切板間の上方の部位には、タオル係止具の掛止フックを夫々設けたことを特徴とする。
【００１４】
請求項７に係る考案は、請求項１〜６の何れか１項において、左右の支柱間にスペーサ保持部材を架設し、複数の仕切板の上部に貫通孔を設けてスペーサ保持部材を通し、スペーサ保持部材にスペーサを嵌合させて仕切板の間隔を保持するようにしたことを特徴とする。
【００１５】
請求項８に係る考案は、請求項１〜７の何れか１項において、仕切板の通気孔及び区画板の通気孔は、複数の上下に延びる長孔又は複数の丸孔であることを特徴とする。
【００１６】
請求項９に係る考案は、請求項１〜９の何れか１項において、少なくとも仕切板は、抗菌処理されていることを特徴とする。
【考案の効果】
【００１７】
請求項１に係る考案では、タオルハンガーを両側の左右の支柱と、左右の支柱を繋ぐように設けられた横梁で自立するスタンドを形成し、スタンドの左右の支柱間に横向きに支持部材を架設し、支持部材に左右方向に所定間隔を開けて複数の仕切板を支持し、仕切板は板厚方向に貫通する複数の通気孔を設け、仕切板間に位置するようにタオルの係止具を設けることで構成したので、個々の係止具に掛け止め吊り下げられたタオルは、仕切板により形成された収容空間に収容されて確実に区画され、相互に接触することが防止される。
従って、複数のタオルを、自他のタオルが混じることなく、個々人毎に非接触状態を維持してハンガーに保持することができ、衛生的にタオルを掛け止め収容することができる。
【００１８】
特に幼児や児童等においては、使用後のタオルを係止具に雑に引っ掛け、掛け止めすることが多々あるが、仕切板によって仕切られた各エリア（収容空間）毎にタオルを掛け止めさせるので、掛け止めしたタオルの接触を確実に防止することができる。
又各仕切板で区画されたエリアは、周囲が開放され、仕切板も板厚方向に貫通する複数の通気孔が設けられているので、空気の流れが阻害されることが無く、空気流に触れやすく、収容空間（エリア）に掛け止めされ、吊り下げられ、収容されたタオルは、空気に良く曝されて乾燥が促進され、この観点からも清潔で衛生的である。
【００１９】
請求項２に係る考案では、横梁は上横梁と下横梁とからなり、上横梁にタオル係止具を設けたので、タオルの掛け止め吊り下げ容易であり、幼児や児童等においても仕切板間の収容空間（区画エリア）に確実にタオルを掛け止め吊り下げ、収容することができる。
【００２０】
請求項３に係る考案では、複数の仕切板の夫々には前後方向中間部に板厚方向に貫通する縦長の区画板挿通孔を設け、スタンドの左右の支柱間に区画板を架設し、区画板は、仕切板に設けた挿通孔に挿通されて該仕切板を所定間隔で前後に仕切り、区画板の前後にタオルの係止具を配設したので、仕切板間の区画板により、タオル掛け止めエリアは、前後、左右に区画されて形成され、スペース効率の良い、しかも相互に非接触の状態で多くのタオルを掛け止めすることができる。
【００２１】
請求項４に係る考案では、区画板には、板厚方向に貫通する通気孔を設けたので、仕切板、区画板で区画されたタオルの収容空間は良好な通気性を確保することができ、収容したタオルは仕切板に設けた通気孔と併せて空気流に触れやすく、収容されたタオルは、空気流に良く曝されて乾燥が促進され、清潔で衛生的である。
【００２２】
請求項５に係る考案では、複数の仕切板は、区画板を挟んで前側のものは前方及び上下方向に開放され、後側のものは後方及び上下方向に開放されているので、仕切板、区画板の通気孔と併せ、掛け止め、吊り下げたタオルの収容空間は空気の流通性に優れ、濡れたタオルの乾燥が促進され、清潔で衛生的である。
【００２３】
請求項６に係る考案では、上横梁の前後の面であって、仕切板間の上方の部位には、タオル係止具の掛止フックを夫々設けたので、仕切板、区画板で区画された各エリア毎にタオルを掛け止め、収容、保持することができる。
【００２４】
請求項７に係る考案では、左右の支柱間にスペーサ保持部材を架設し、複数の仕切板の上部に貫通孔を設けてスペーサ保持部材を通し、スペーサ保持部材にスペーサを嵌合させて仕切板の間隔を保持するようにしたので、容易、確実に仕切板間のタオル掛け止めする収容空間を形成することができる。
【００２５】
請求項８に係る考案では、仕切板の通気孔及び区画板の通気孔は、複数の上下に延びる長孔又は複数の丸孔なので仕切板、区画板で仕切られたタオル掛け止めエリアの通気性を確保することができ、通気孔もパンチングボード等で形成することができるので容易に得られる。
【００２６】
請求項９に係る考案では、少なくとも仕切板は抗菌処理されているので、極めて清潔であり、衛生上好ましタオルハンガーを得ることができる。
【図面の簡単な説明】
【００２７】
【図１】本考案に係るタオルハンガーの分解斜視図である。
【図２】同組み立てた状態のタオルハンガーの斜視図である。
【図３】タオルハンガーの正面図である。
【図４】スタンドの支柱と区画板の支持部材及びスペーサ保持部材との結合部構造を示す要部の拡大破断面図である。
【図５】図３の５−５線断面図である。
【図６】タオルハンガーの平面図である。
【図７】タオルハンガーの側面図である。
【図８】図７の８−８線断面図である。
【図９】タオルを掛け止め、吊り下げた状態を示す縦断側面図である。
【図１０】タオルを掛け止め、吊り下げた状態を示す斜視図である。
【考案を実施するための形態】
【００２８】
本考案の実施の形態を添付図に基づいて以下に説明する。
なお、図面は符号の向きに見るものとする。
図１は、本考案に係るタオルハンガーの分解斜視図であり、タオルハンガー１は、スタンド２を備える。
スタンド２は前後方向に延びる足４，４を有する左右の支柱３，３と、支柱３，３の上部間に架設された上横梁５及び下部間に架設された下横梁６を備える。
支柱３，３及び上下の横梁５，６は角パイプ材で形成した。
【００２９】
１０…（…は複数を表す。以下同じ）は仕切板で、仕切板１０…は四隅をアールとした樹脂や木質の板材で形成される。
仕切板１０…は、前後の幅よりも上下の長さが大きい縦長であり、上下の寸法は上横梁５，下横梁６間の寸法よりも小さい。
仕切板１０…は、幅方向中央部で高さ方向の中央部に細幅で後述する区画板２０を通す縦長の挿通孔１１が夫々板厚方向に貫通して形成されている。
【００３０】
ところで仕切板１０…は、板厚方向に貫通し、表裏両面に開口する通気孔１２…が複数設けられており、通気孔１２…は、実施例では、スリット状の細幅の縦長孔で構成した。
また仕切板１０…は、前記した区画板２０の挿通孔１１の上方部に丸孔状の小さな貫通孔１３が設けられている。貫通孔１３で、後述するスペーサ保持部材３０を挿通する貫通孔を形成する。
【００３１】
２０は区画板である。区画板２０は板厚方向に貫通し、表裏両面に開口する多数の通気孔２１…を有する。区画板２０は、例えば樹脂製板材で、多数の丸孔を設けた多孔板（パンチングプレート）で形成されている。
区画板２０の左右方向の長さは、スタンド２の左右の支柱３，３間の長さと略々同等である。区画板２０の、上下の縁部には長さ方向に延びる支持部材２２，２３を有し、支持部材２２，２３は鋼製等の丸パイプ材で形成した。
【００３２】
支持部材２２，２３は、区画板２０の本体の上下縁部を保持する凹状の縁部材２４，２５に溶接、接着、リベット止め等して一体化されている。
区画板２０の左右方向の長さは支柱３，３間の長さであり、上下の縁部に設けた支持部材２２，２３を含んだ縦方向の寸法は、前記仕切板１０…の区画板２０の挿通孔１１に嵌合する寸法である。
【００３３】
３０はスペーサ保持部材であり、スペーサ保持部材３０は、例えば、前記した支持部材２２，２３よりも小径の鋼製等の丸パイプ材からなる。
大径の丸パイプ材を短く切断して形成したスペーサ３２…をスペーサ保持部材３０の外周に嵌合する。スペーサ３２…の長さは、仕切板１０…間の間隔に設定されている。
前記した仕切板１０…の挿通孔１１の上方に設けた貫通孔１３は、小径丸パイプ材からなるスペーサ保持部材３０よりも若干大きく、スペーサ３２…の外径よりも小径である。
【００３４】
以上において、上横梁５には前後の面に突出するようにタオル係止具４０…を左右方向に所定間隔（仕切板１０…の配置間隔）を開けて複数設けられており、タオル係止具４０…は、図９に示したように、例えば上横梁５の前後両面（図９の左右側面）から上向き凹状でＳ字杆状に掛止フック部４１，４１が突出して形成され、両面５ａ，５ａから外方への突出量は、区画板２０で前後に区画された（図９では左右）仕切板１０の略々２／１（図９では左右）とし、フック部４１，４１に掛け止めしたタオル７０，７０が、仕切板１０の前後端縁から突出しないように十分に内側となるように配置した。
尚、係止具４０…は金属製の丸棒を曲げて形成されており、前後に突出するフック部４１，４１の先端部には柔軟な樹脂等で形成したキャップ４１ａを被冠し、幼児や児童等の手指を保護した。
【００３５】
スタンド２の左右の支柱３，３の上端部間には、ガードバー５０を架設した。ガードバー５０は、支柱３，３の前後面から外方に対称的に膨出し、左右方向に延びる一対の対称形状のバー部材５１，５１からなる。
ガードバー５０の前後の突出量は、図５、図６に示したように仕切板１０…の前後の長さと略同等か、これより若干小さい。
【００３６】
以上において、仕切板１０…の各挿入孔１１に区画板２０を通し、実施例では１１枚の仕切板１０…を通した。又各仕切板１０…の挿入孔１１の上方に設けた貫通孔１３にスペーサ保持部材３０を通す。
スペーサ保持部材３０を仕切板１０の貫通孔１３に通すに際し、仕切板１０…の前後に介在させるスペーサ３２…を嵌合し、スペーサ３２…を仕切板１０…間に臨ませる。
【００３７】
以上の区画板２０の上下縁部の支持部材２２，２３の両端部内には、埋設ナット部材２６，２７が設けられており（図４参照）、又スペーサ保持部材３０の両端部には埋設ナット部材３１が設けられている（図４参照）。
一方、左右の支柱３，３には、仕切板１０…の支持部材２２，２３の取付部位及びスペーサ保持部材３０の取付部位には、前後方向に貫通する取付孔７，８，９を設ける（図１、図４参照）。
【００３８】
支柱３，３間に臨ませた区画板２０の上下の支持部材２２，２３の両端部の該支柱３，３の内側面間に当て、埋設ナット部材２６，２７と取付孔７，８とを突き合わせ、ネジ６０，６０を通して支持部材２２，２３の両端部を支柱３，３に固着する（図４参照）。
又仕切板１０…の貫通孔１３にスペーサ３２…を介在させて通したスペーサ保持部材３０の両端部を支柱３，３の上部間に臨ませ、取付孔９と突き合わせ、ネジ６０を埋設ナット部材３１に通してスペーサ保持部材３０を支柱上部間に固着する（図４参照）。
【００３９】
以上によりタオルハンガー１を形成した。タオルハンガーとして使用可能な組立状態を図２で斜視図として示した。
タオルハンガー１は、スタンド２の支柱３，３間に、図３に示したように左右方向に所定の間隔を開け、仕切板１０…により左右方向に区画されたタオルの収容空間Ｓ…が設けられ、実施例では１１枚の仕切板１１…で仕切ったので都合１２箇所の収容空間Ｓ…が設けられることとなる。
【００４０】
以上において、少なくとも仕切板１０…は抗菌剤を練り込んで抗菌したり、又コーティング等により表面を抗菌処理する。
又区画板２０やその他の部位も同様に抗菌処理しても良い。
尚、抗菌剤としては、例えば、有機系抗菌剤、天然系抗菌剤、銀系無機抗菌剤、非銀系無機抗菌剤、有機無機ハイブリッド型抗菌剤、光触媒系抗菌剤等の抗菌剤から選択される。
【００４１】
ところで、仕切板１０…の前後方向中央部（図５参照）に区画板２０が位置しており、区画板２０により収容空間Ｓ…は前後（図５では左右）に区画されている。
従って、各仕切板１０…間の収容空間Ｓ…は前後（図５では左右）に設けられていることから、実施例では都合２４箇所のタオル収容空間Ｓ…を備える。
【００４２】
前後（図５では左右）の各収容空間Ｓ…は、区画板２０を境界として前後（図５では左右）に開放され、上下にも開放され、各収容空間Ｓ…の上方にはタオル係止具４０の掛止フック部４１が配置されており、掛止フック部４１の前後（図では左右）の突出量はタオルの収容空間Ｓ…の中程までである。
又ガードバー５０のバー部材５１，５１の突出量は、図５、図６で明らかなように、仕切板１０…の前後端縁１０ａ，１０ａと略同等か、これより若干内側である。
【００４３】
仕切板１０…及び区画板２０で区画されたタオル収容空間Ｓ…は、前記したように外側（図５の左側方向、右側方向）及び上下方向に開放されており、且つ仕切板１０…には板厚方向に貫通する複数の縦長孔状の通気孔１２…が設けられており、又区画板２０には板厚方向に貫通する複数の丸孔状の通気孔２１…が設けられている。
従って、タオルの収容空間Ｓ…は、左右方向（仕切板が並んでいる方向）及び前後方向（図５の左右方向）にも通気孔１２…、２１…で連通している。
【００４４】
図９及び図１０は、タオルハンガー１を用いた状態を説明する図であり、タオル７０…は、仕切板１０…及び区画板２０で区画された収容空間Ｓ…の上方に配置されている係止具４０の掛止フック部４１に、例えばループ付きタオルのループ部分７１を引っ掛けて吊り下げ収容する。
タオル７０の引っ掛け、収容、吊り下げ操作は、収容空間Ｓの前方又は後方（図９の左側又は右側）からタオルを差し入れ、掛止フック部４１に引っ掛けて吊り下げるものである。
【００４５】
タオル引っ掛け、吊り下げ操作に際し、左右が仕切板１０…で仕切られ、又前後（図９では左右）が区画板２０で区画されているので、隣接する収容空間に干渉することがなく、隣接する収容空間にタオルが吊り下げられ、収容されていたとしても、相互に接触することは無い。
従って、個々人専用のタオルの収容空間に、他者のタオルに触れることなく引っ掛け、吊り下げて収容することができる。
【００４６】
各収容空間Ｓ…は、外方且つ上下方向に開放されており、且つ仕切板１０…の通気孔１２…及び区画板２０の通気孔２１…が空間Ｓ…相互を連通している。従って、各収容空間Ｓ…の通気性は良好に得られ、手拭き後の濡れたり湿気を含んだタオルは空気流に曝され、タオルの乾燥は良好になされる。
又ガードバー５０のバー部材５１が前後方向（図９の左右方向）に突出しているので、タオルハンガー１に近づいてタオルを引っ掛け、吊り下げ操作する際、身体や着衣等が他者のタオルに触れることは無い。
【００４７】
本考案に係るタオルハンガー１は保育所や幼稚園で用いるのに好適であり、例えば各収容空間Ｓ…には、個々人の名前を名札等で表示することで識別を容易、確実化し、仕切板１０…、区画板２０により各収容区間Ｓ…は区画されているので、引っ掛け、吊り下げられたタオルは相互に触れたり接触することがなくなる。
従って、幼児や児童個々人専用のタオルの収容空間が形成され、個々人のタオルを衛生的に収容することができる。
以上、本考案に係るタオルハンガーの説明については、保育所、幼稚園における幼児や児童に用いるとしてものと説明したが、本考案に係るタオルハンガーはこれらに限られず、ディサービスといった老人施設等、個々人が集まり、食後や作業後に手洗いが行われる施設に用いて大きな効果を発揮することができるものである。
【００４８】
また収容したタオル相互は仕切板１０…、区画板２０により区画された収容空間Ｓ…に収容されるので、引っ掛け、吊り下げて収容された後にタオル相互は接触することは無い。
従って、清潔に、極めて衛生的にタオルを収容することができる。
【産業上の利用可能性】
【００４９】
本考案に係るタオルハンガーは、保育所や幼稚園、ディサービス等の老人施設、個々人が集まり、食後や作業後に手洗いが行われる施設において用いるのに好ましい。
【符号の説明】
【００５０】
１…タオルハンガー、  ２…スタンド、  ３…支柱、  ５…上横梁、  ６…下横梁、  １０…仕切板、  １１…区画板挿通孔、  １２…通気孔、  １３…スペーサ保持部材を挿通する貫通孔、  ２０…区画板、  ２１…通気孔、  ２２，２３…支持部材、  ３０…スペーサ保持部材、  ３２…スペーサ、  ４０…タオル係止具、Ｓ…タオルの収容空間。
【図１】
0003190290.tif 000003
【図２】
0003190290.tif 000004
【図３】
0003190290.tif 000005
【図４】
0003190290.tif 000006
【図５】
0003190290.tif 000007
【図６】
0003190290.tif 000008
【図７】
0003190290.tif 000009
【図８】
0003190290.tif 000010
【図９】
0003190290.tif 000011
【図１０】
0003190290.tif 000012